(57)【要約】【課題】媒体収納カセットに片面印刷済の媒体を収納する際、ユーザが印刷する面を意識せずに媒体をセットした場合に、印刷済の面に重ねて印刷がされてしまう。【解決手段】印刷済みの再使用媒体Ｐ１を収納する第１の媒体収納部１０１と、未使用媒体Ｐ２を収納する第２の媒体収納部１０２と、媒体収納部１０１に収納された再使用媒体Ｐ１の表裏の画像の有無を検出するセンサ１１０、１１１と、当該センサによる検出結果に応じて印刷の可否を判定する判定手段２０５を有し、上位装置から印刷情報を受信すると、前記センサにより再使用媒体Ｐ１の表裏の画像の有無が検出され、その検出結果に応じて判定手段２０５により再使用媒体Ｐ１に印刷が可能か否かが判定され、再使用媒体Ｐ１に画像形成を行なう。【選択図】    図1
2009269367.tif 000002
【特許請求の範囲】
【請求項１】
媒体に画像を形成する画像形成部と、
再使用の媒体を収納する第１の媒体収納部と、
媒体を前記画像形成部に搬送する搬送手段と、
前記搬送手段により搬送された媒体の表裏の画像の有無を検出する画像検出部と、
前記画像検出部による検出結果に応じて印刷の可否を判定する判定手段を有し、
更に、前記判定手段により前記搬送された媒体に印刷が可能であると判定した場合、当該搬送された媒体に前記画像形成部で画像形成を行なうよう制御する印刷制御部を有することを特徴とする画像形成装置。
【請求項２】
未使用の媒体を収納する第２の媒体収納部を有し、
更に、前記印刷制御部は、上位装置からの印刷情報が両面印刷指示を含む場合、前記判定手段により前記第１の媒体収納部から搬送した媒体に印刷が不可能であると判定した場合は、前記第２の媒体収納部から媒体を搬送して前記画像形成部で画像形成を行なうよう制御することを特徴とする請求項１記載の画像形成装置。
【請求項３】
媒体を待機させる待機部を有し、
更に、前記印刷制御部は、前記判定手段により前記第１の媒体収納部から搬送した媒体に両面印刷が不可能であると判定した場合でかつ、前記画像検出部により前記第１の媒体収納部から搬送した媒体の片面のみに画像を検出した場合、当該媒体を前記待機部に待機させることを特徴とする請求項２記載の画像形成装置。
【請求項４】
前記印刷制御部は、上位装置からの印刷情報が片面印刷指示を含む場合、前記待機部に媒体があるか否かを判定し、待機部に媒体があると判定した場合、当該待機部の媒体を搬送して前記画像形成部で画像形成を行なうよう制御することを特徴とする請求項３記載の画像形成装置。
【請求項５】
前記搬送手段により搬送された媒体の表裏を反転させる媒体反転部を有し、
更に、前記印刷制御部は、前記第１の媒体収納部から搬送した媒体が前記画像検出部により片面に画像があることが検出され、媒体の反転が必要の場合は、前記媒体反転部により媒体を反転させるよう制御することを特徴とする請求項１記載の画像形成装置。
【請求項６】
前記搬送手段により搬送された媒体の表裏を反転させる媒体反転部を有し、
更に、前記印刷制御部は、前記待機部の媒体が前記画像検出部により片面に画像があることが検出され、媒体の反転が必要の場合は、前記媒体反転部により媒体を反転させるよう制御することを特徴とする請求項４記載の画像形成装置。
【請求項７】
前記画像検出部は前記待機部に設けられることを特徴とする請求項４又は６記載の画像形成装置。
【請求項８】
前記第１の媒体収納部から搬送した媒体に画像形成を行った回数を計数する計数手段を設けたことを特徴とする請求項１乃至７いずれか一記載の画像形成装置。
【請求項９】
画像形成部により媒体に画像を形成する画像形成工程と、
再使用の媒体を収納する第１の媒体収納部から媒体を搬送する再使用媒体搬送工程と、
搬送された媒体の表裏の画像の有無を検出する画像検出工程と、
前記画像検出工程による検出結果に応じて印刷の可否を判定する判定工程と、
前記判定工程の結果、前記搬送された媒体に印刷が可能であると判定した場合、当該搬送された媒体に前記画像形成工程により画像形成を行なうよう制御する印刷制御工程を含むことを特徴とする画像形成装置の印刷制御方法。
【請求項１０】
未使用の媒体を収納する第２の媒体収納部から媒体を搬送する未使用媒体搬送工程と
上位装置からの印刷情報を受信する印刷情報受信工程と、
前記印刷情報受信工程により受信した印刷情報に両面印刷指示を含む場合でかつ、前記判定工程により前記第１の媒体収納部から搬送した媒体に印刷が不可能と判定した場合は、前記第２の媒体収納部から媒体を搬送して前記画像形成工程により画像形成を行なうよう制御する印刷制御工程を含むことを特徴とする請求項９記載の画像形成装置の印刷制御方法。
【請求項１１】
前記判定工程により前記第１の媒体収納部から搬送した媒体に両面印刷が不可能であると判定した場合でかつ、前記画像検出工程により前記第１の媒体収納部から搬送した媒体の片面のみに画像を検出した場合、当該媒体を待機部に待機させる媒体待機工程を含むことを特徴とする請求項１０記載の画像形成装置の印刷制御方法。
【請求項１２】
前記制御工程は、前記情報受信工程により受信した印刷情報に片面印刷指示を含む場合でかつ、前記待機部に媒体があるか否かを判定し、待機部に媒体があると判定した場合、当該待機部の媒体を搬送して前記画像形成部で画像形成を行なうよう制御することを特徴とする請求項１１記載の画像形成装置の印刷制御方法。
【請求項１３】
前記搬送された媒体の表裏を反転させる媒体反転工程を含み、
更に、前記制御工程は、前記第１の媒体収納部から搬送した媒体が前記画像検出部により片面に画像があることが検出され、媒体の反転が必要の場合は、前記媒体反転工程により前記媒体を反転させるよう制御することを特徴とする請求項９記載の画像形成装置の印刷制御方法。
【請求項１４】
前記搬送された媒体の表裏を反転させる媒体反転工程を含み、
更に、前記制御工程は、前記待機部の媒体が前記画像検出部により片面に画像があることが検出され、媒体の反転が必要の場合は、前記媒体反転工程により前記媒体を反転させるよう制御することを特徴とする請求項１２記載の画像形成装置の印刷制御方法。
【請求項１５】
前記第１の媒体収納部から搬送した媒体に画像形成を行った回数を計数する回数計数工程を含むことを特徴とする請求項９乃至１４いずれか一記載の画像形成装置の印刷制御方法。
【発明の詳細な説明】
【技術分野】
【０００１】
本発明は、媒体収納部に収納された媒体を繰出して印刷を行なう画像形成装置に関し、特に印刷済みの媒体を再利用して印刷を行なう画像形成装置に関する。
【背景技術】
【０００２】
従来、複数の媒体収納カセットを装着可能なプリンタにおいて、紙資源を有効に利用するための印刷用紙を選択する技術がある。例えば特許文献１（特開２００４―０５０６７７号公報）には、印刷モードが通常モードと省資源モードの２つの印刷モードを有し、一方の通常用紙収納手段には新品(未使用)の媒体を収納し、他方の省資源印刷用紙収納手段には片面印刷済の媒体を収納して、省資源モードが選択されている場合に片面印刷済の媒体を繰出して印刷を行なう装置が開示されている。
【０００３】
上記特許文献１に開示される装置においては、省資源モードが選択されている場合、新品の媒体が指定されている場合であっても、片面印刷済の媒体が収納されている省資源印刷用紙収納手段から媒体を繰出して印刷を行なうようにしている。
【特許文献１】特開２００４―０５０６７７号公報
【発明の開示】
【発明が解決しようとする課題】
【０００４】
しかしながら上記特許文献１に開示される装置においては、省資源印刷用紙収納手段、即ち媒体収納カセットに片面印刷済の媒体を収納する際、ユーザが印刷する面を意識せずに媒体をセットした場合に、印刷済の面に重ねて印刷がされるという問題があった。一方、両面印刷を行なう際に、省資源印刷用紙収納手段を選択してしまった場合も同様に、印刷済の面に重ねて印刷がされるという問題があった。
【０００５】
本発明は上記課題を解決するためになされたもので、媒体の印刷済の面に誤って印刷することを確実に回避するとともに、極力媒体の再利用を図った画像形成装置を提供することを目的とする。
【課題を解決するための手段】
【０００６】
上記課題を解決するため本発明は、媒体に画像を形成する画像形成部と、再使用の媒体を収納する第１の媒体収納部と、媒体を前記画像形成部に搬送する搬送手段と、前記搬送手段により搬送された媒体の表裏の画像の有無を検出する画像検出部と、前記画像検出部による検出結果に応じて印刷の可否を判定する判定手段を有し、更に、前記判定手段により前記搬送された媒体に印刷が可能であると判定した場合、当該搬送された媒体に前記画像形成部で画像形成を行なうよう制御する印刷制御部を有する画像形成装置であることを要旨とする。
【発明の効果】
【０００７】
本発明によれば、画像検出部により、印刷済みで再使用可能な媒体を収納する第１の媒体収納部から搬送された媒体の画像の有無を検出し、その検出結果に応じて判定手段により印刷の可否を判定し、印刷可能であると判定した場合に画像形成部で画像形成するようにしたので、媒体の印刷済の面に誤って印刷することを回避することができる。
【発明を実施するための最良の形態】
【０００８】
（第１の実施の形態）
以下、本発明を実施するための最良の形態を図面に従って説明する。なお、以下に説明する実施の形態では画像形成装置として電子写真プリンタを例に説明する。また、各図面に共通する要素には同一の符号を付す。図1は第１の実施の形態に係るプリンタを示す断面図である。本実施の形態で説明するプリンタ１００は、印刷済み、即ち再使用媒体Ｐ１を収納する第１トレイ１０１と、新品、即ち未使用媒体Ｐ２を収納する第２トレイ１０２を有する。前記第１トレイ１０１には、表面又は裏面が印字済みの媒体Ｐ及び両面ともに印字済みの媒体Ｐのみならず、両面ともに未印字の媒体Ｐが混載しているものとする。一方、前記第２トレイ１０２には、新品の媒体であるので当然表面及び裏面ともに印字可能な媒体Ｐが収容されている。
【０００９】
前記プリンタ１００は更に、媒体Ｐの表裏の画像を検出する画像検出部１３０と、媒体ＰをＡ面からＢ面へ又はＢ面からＡ面へ裏表反転させる反転部１３１と、媒体Ｐに画像を形成する画像形成部１３２と、媒体Ｐ上に形成された画像を定着させる定着部１２７と、印刷した媒体Ｐを排出する排出部１３３と、上記各部から又は上記各部へ媒体Ｐを搬送する搬送路１３４とで構成される。
【００１０】
画像形成部１３２は、表面に静電潜像を形成する感光ドラム１２５と、感光ドラム１２５の表面を帯電させる帯電ローラ１２３と、感光ドラム１２５の表面を露光し静電潜像を形成する露光部１２４と、感光ドラム１２５の表面に形成された静電潜像にトナーを付着させて現像する現像ローラ１２２と、トナーが充填され現像ローラ１２２にトナーを供給するトナーカートリッジ１２１と感光ドラム１２５上のトナー像を媒体Ｐ上に転写させる転写ローラ１２６とで構成される。
【００１１】
画像検出部１３０は、媒体Ｐ上の画像を検出するセンサ１１０、１１１と、媒体Ｐを画像検出部１３０内に導くとともに画像形成部１３２に向けて搬送させるローラ対１１２、１１３で構成される。
【００１２】
図２は当該画像検出部１３０を示す拡大側面図である。センサ１１０、１１１は、画像検出部１３０内に搬送させてくる媒体Ｐの下面及び上面における画像の有無を検知するため、画像検出部１３０の入口付近の上下に配置されている。センサ１１０、１１１の直上又は直下は検出用の窓であるスリット５０２が配置されている。媒体Ｐは前記ローラ対１１２、１１３によって、画像検出部１３０内に導かれ、ここで一旦待機する構成とする。その後、後述するように印刷制御部２０２の制御により、前記画像形成部１３２に向けて搬送される。
【００１３】
図３は当該画像検出部１３０の模式図である。本実施の形態に係るセンサ１１０、１１１はラインセンサである。同図に示すように、センサ１１０、１１１は媒体Ｐの搬送方向と直交する方向に配置され、画像検出部１３０に搬送されてくる媒体Ｐの全領域を検出可能である。
【００１４】
なお、以下の説明において、画像検出部１３０内の媒体Ｐの上面は、反転部１３１で反転しないと印刷を行なえない面なので裏面とし、下面はそのまま印刷を行なえる面なので表面とする。
【００１５】
図１に戻り、反転部１３１は、媒体Ｐを反転部１３１内に導くとともに画像形成部１３２に向けて搬送させるローラ対１１４、１１５、１１６、１１７を有し、更に、媒体Ｐを搬送する第１反転搬送路１３５及び第２反転搬送路１３６によって構成される。排出部１３３は、排出ローラ対１２８によって排出された印刷完了媒体Ｐ３を積載するものである。
【００１６】
給紙ローラ１０５及びローラ対１０８は、第１トレイ１０１から搬送路１３４に再使用媒体Ｐ１を繰出するものである。給紙ローラ１０６及びローラ対１０７は、第２トレイ１０２から搬送路１３４に未使用媒体Ｐ２を繰出するものである。ローラ対１１８、１１９、１２０は搬送路１３４に配設され、媒体Ｐを画像形成部１３２に導く。
【００１７】
図４は第１の実施の形態に係るプリンタのブロック図である。図４において、プリンタ１００は、図示しない上位装置より印刷情報と印刷データを受信する受信制御部２０１と、受信制御部２０１からの印刷情報に従い印刷を制御する印刷制御部２０２と、印刷制御部２０２からの指示に従い第１トレイ１０１、第２トレイ１０２、反転部１３１及び搬送路１３４を制御する搬送制御部２０４を有する。
【００１８】
更に、当該プリンタ１００は、印刷制御部２０２からの指示に従い前記画像検出部１３０を制御し、前記画像検出部１３０からの情報に基づいて媒体Ｐの種別（表裏の画像の有無）を検出し、媒体判定部２０５に媒体種別情報として出力する検出制御部２０６と、印刷制御部２０２からの印刷情報と前記検出制御部２０６からの媒体種別情報から媒体Ｐが印刷可であるか否かを判定し、判定情報を印刷制御部２０２に出力する媒体判定部２０５と、印刷制御部２０２から印刷情報及び印刷データを入力し、画像形成部１３２を制御する画像形成制御部２０３で構成される。
【００１９】
更に、前記印刷制御部２０２は、前記媒体判定部２０５から入力した媒体種別情報を記憶する媒体種別情報記憶部２０７と、媒体Ｐが画像検出部１３０内に残っているかどうかを記憶する媒体有無情報記憶部２０８を有する。
【００２０】
次に第１の実施の形態の動作を説明する。図１において、本実施の形態のプリンタ１００の画像形成プロセスを説明する。感光ドラム１２５の表面を帯電ローラ１２３で一様かつ均一に、負に帯電させる。次に、露光部１２４により、帯電された感光ドラム１２５の表面上を選択的に露光し静電潜像を形成する。その後、現像ローラ１２２により、静電潜像が形成された感光ドラム１２５の表面上にトナーを付着させ、静電潜像を現像してトナー像を形成する。次にこのトナー像を転写ローラ１２６により媒体Ｐ上に転写する。更に、この転写されたトナー像を定着部１２７により媒体Ｐ上に定着させる。以上の画像形成プロセスを連続的に繰り返しながら印刷が行われる。
【００２１】
図５は第１の実施の形態における両面印刷の動作を示すフローチャートである。随時、図１及び図４を参照しながら、第１の実施の形態において両面印刷を行なう場合の動作を説明する。まず、受信制御部２０１は、上位装置より両面印刷指示を含む印刷情報と印刷データを受信すると、両面印刷の印刷情報を印刷制御部２０２に送信する（Ｓ１０１）。
【００２２】
印刷制御部２０２は、両面印刷の印刷情報を受信すると、画像検出部１３０内の媒体Ｐの有無を判定するため、媒体有無情報記憶部２０８に記憶されている媒体有無情報を読み出す。最初は、画像検出部１３０には媒体Ｐがないので、印刷制御部２０２は、画像検出部１３０の「媒体無し」の媒体有無情報を読み出し、画像検出部１３０内に媒体Ｐがないと判断すると（Ｓ１０２）、搬送制御部２０４に第１トレイ１０１から再使用媒体Ｐ１を給紙し、画像検出部１３０内に搬送するよう指示する。搬送制御部２０４は給紙ローラ１０５及びローラ対１０８を動作させ、第１トレイ１０１の再使用媒体Ｐ１を給紙する。次に検出制御部２０６は、第１トレイ１０１から搬送されてきた再使用媒体Ｐ１を、ローラ対１１２、１１３を動作させ、画像検出部１３０内に再使用媒体Ｐ１を搬送する（Ｓ１０９）。
【００２３】
検出制御部２０６は、再使用媒体Ｐ１を画像検出部１３０内に搬送する際、センサ１１０、１１１を動作させ、再使用媒体Ｐ１の表面及び裏面の画像の有無を検知する（Ｓ１１０）。媒体判定部２０５は、検出制御部２０６により検知された再使用媒体Ｐ１の表面及び裏面の画像の有無である媒体種別情報を受信し、両面印刷が可能な未使用媒体Ｐ２であるか否かを判定する（Ｓ１１１）。
【００２４】
ここで媒体種別情報とは、両面印刷可、表面印刷可、裏面印刷可、両面とも印刷不可の情報である。両面印刷可とは媒体Ｐの両面に画像が印刷されていないことを意味する。表面印刷可とは、媒体Ｐを画像形成部１３２に搬送してそのまま片面印刷可能であることを意味する。裏面印刷可とは、媒体Ｐを反転することにより前記画像形成部１３２で片面印刷可能であることを意味する。両面とも印刷不可とは、両面とも画像が印刷済で、媒体Ｐを画像形成部１３２に搬送しても印刷が行えないことを意味する。
【００２５】
検出制御部２０６は、センサ１１０、１１１の検出結果に基づいて、再使用媒体Ｐ１の前記媒体種別情報を作成する。センサ１１０、１１１がともに画像を検知した場合は、両面とも印刷不可の媒体種別情報を作成する。センサ１１１が再使用媒体Ｐ１の上面（裏面）の画像を検知せず、センサ１１０が再使用媒体Ｐ１の下面（表面）の画像を検知した場合は、裏面印刷可の媒体種別情報を作成する。逆に、センサ１１１が再使用媒体Ｐ１の上面（裏面）の画像を検知し、センサ１１０が再使用媒体Ｐ１の下面（表面）の画像を検知しない場合は、表面印刷可の媒体種別情報を作成する。更に、センサ１１０、１１１ともに画像を検知しない場合は、両面印刷可の媒体種別情報を作成する。
【００２６】
まず第１に、媒体判定部２０５が、前記検出制御部２０６から両面印刷可の媒体種別情報を受信した場合について説明する。媒体判定部２０５はこの情報に基づいて両面印刷が可能であると判定すると（Ｓ１１１）、印刷制御部２０２に印刷可能であるとの情報を送信するとともに、両面印刷可の媒体種別情報を送信する。印刷制御部２０２は、受信した媒体種別情報を媒体種別情報記憶部２０７に記憶する。印刷制御部２０２は、検出制御部２０６及び搬送制御部２０４に、画像検出部１３０内の再使用媒体Ｐ１を画像形成部１３２に向けて搬送するよう指示する。検出制御部２０６及び搬送制御部２０４はこの指示に従い、ローラ対１１２、１１３及びローラ対１１８、１１９、１２０を動作させ、再使用媒体Ｐ１を画像形成部１３２に向けて搬送する（Ｓ１１２）。
【００２７】
このとき、印刷制御部２０２は通常の両面印刷動作を実行する。即ち、印刷制御部２０２は、画像形成制御部２０３に印刷を実行するよう指示し、画像形成制御部２０３は、画像形成部１３２を制御し、媒体ＰのＡ面の印刷を実行する（Ｓ１０４）。画像形成部１３２によって印刷が実行された媒体Ｐは、定着部１２７を経て反転部１３１に搬送される。媒体Ｐは、搬送制御部２０４によって制御されるローラ対１１４、１１５によって反転部１３１の第１反転搬送路１３５に導かれる（Ｓ１０５）。次に、搬送制御部２０４は、ローラ対１１４、１１５を反転させ、媒体Ｐを反転部１３１の第２反転搬送路１３６へ導き、ローラ対１１６、１１７及びローラ対１１９、１２０によって画像形成部１３２に向けて搬送する（Ｓ１０６）。この動作により、媒体Ｐは裏表が反転することになる。
【００２８】
印刷制御部２０２は、画像形成制御部２０３に印刷を実行するよう指示し、画像形成制御部２０３は、画像形成部１３２を制御し、媒体ＰのＢ面の印刷を実行する（Ｓ１０７）。画像形成部１３２によって印刷が実行された媒体Ｐは、定着部１２７及び排出ローラ対１２８を経て、排出部１３３に排出される（Ｓ１０８）。
【００２９】
第２に、前記ステップ１１１において、媒体判定部２０５が、前記検出制御部２０６から表面印刷可又は裏面印刷可の媒体種別情報を受信した場合について説明する。媒体判定部２０５は、両面印刷が不可であると判定すると、印刷制御部２０２に対し両面印刷不可であることの情報を送信するとともに、表面印刷可又は裏面印刷可の媒体種別情報を送信する。印刷制御部２０２は、受信した媒体種別情報を媒体種別情報記憶部２０７に記憶する。
【００３０】
印刷制御部２０２は、媒体種別情報記憶部２０７に記憶された媒体種別情報が、表面印刷可又は裏面印刷可であるので、片面が印刷可能であると判断し（Ｓ１１３）、再使用媒体Ｐ１を画像検出部１３０内に待機させるとともに、媒体有無情報記憶部２０８に「媒体有」の媒体有無情報を記憶する（Ｓ１１４）。なお、ここで待機するのは、後に片面印刷を実行する場合に、この再使用媒体Ｐ１を使用するためであり、画像検出部１３０内に待機する再使用媒体Ｐ１は、表面印刷可又は裏面印刷可に限られる。画像検出部１３０は媒体待機部としての役割を果たす。
【００３１】
その後、印刷制御部２０２は搬送制御部２０４に対し、第２トレイ１０２から未使用媒体Ｐ２を給紙し、画像形成部１３２へ向けて未使用媒体Ｐ２を搬送するよう指示する。搬送制御部２０４は給紙ローラ１０６及びローラ対１０７を動作させ、第２トレイ１０２の未使用媒体Ｐ２を画像形成部１３２に向けて給紙する（Ｓ１０３）。次のステップ１０４以降の動作は、既に説明した通りである。
【００３２】
第３に、前記ステップ１１１において媒体判定部２０５が、前記検出制御部２０６から両面とも印刷不可の媒体種別情報を受信した場合について説明する。媒体判定部２０５は、印刷制御部２０２に、再使用媒体Ｐ１が両面とも使用不可であるとの情報を送信する。印刷制御部２０２はこれを受けて、検出制御部２０６と搬送制御部２０４に画像検出部１３０内の再使用媒体Ｐ１を排出するよう指示する。検出制御部２０６と搬送制御部２０４はこの指示に従い、前記画像検出部１３０内のローラ対１１２、１１３及び搬送路１３４内のローラ対１１８、１１９、１２０を動作させ、再使用媒体Ｐ１を画像形成部１３２に向けて搬送する（Ｓ１１５）。
【００３３】
このとき、印刷制御部２０２は、画像形成制御部２０３に印刷を実行しないことを指示し、画像形成制御部２０３は、画像形成部１３２に再使用媒体Ｐ１が搬送されても印刷を行わないように制御する（Ｓ１１６）。画像形成部１３２において印刷が実行されなかった再使用媒体Ｐ１は、定着部１２７、排出ローラ対１２８を経て、排出部１３３に排出される（Ｓ１１７）。
【００３４】
印刷制御部２０２は、再使用媒体Ｐ１が排出されると、再び搬送制御部２０４に第１トレイ１０１から再使用媒体Ｐ１を給紙し、画像検出部１３０内に搬送するよう指示する。搬送制御部２０４は給紙ローラ１０５及びローラ対１０８を動作させ、第１トレイ１０１の再使用媒体Ｐ１を給紙する（Ｓ１０９）。
【００３５】
第４に、ステップ１０２において、画像検出部１３０内に媒体Ｐがあると判定された場合について説明する。媒体有無情報記憶部２０８に「媒体有」の媒体有無情報が記憶されている場合、印刷制御部２０２は、画像検出部１３０内に媒体Ｐがあると判断し（Ｓ１０２）、印刷制御部２０２は、搬送制御部２０４に第２トレイ１０２から未使用媒体Ｐ２を給紙し、画像形成部１３２へ向けて未使用媒体Ｐ２を搬送するよう指示し、搬送制御部２０４は、給紙ローラ１０６及びローラ対１０７を動作させ、第２トレイ１０２の未使用媒体Ｐ２を画像形成部１３２に向けて給紙する（Ｓ１０３）。次のステップ１０４以降の動作は既に説明した通りである。
【００３６】
次に、片面印刷動作を図６に従って説明する。図６は片面印刷の動作を示すフローチャートである。随時、図１及び図４を参照しながら、片面印刷を行なう場合の動作を説明する。
【００３７】
まず、受信制御部２０１は、上位装置より片面印刷指示を含む印刷情報と印刷データを受信すると、片面印刷の印刷情報を印刷制御部２０２に送信する（Ｓ２０１）。印刷制御部２０２は片面印刷の印刷情報を受信すると、画像検出部１３０内の媒体Ｐの有無を判定するため、媒体有無情報記憶部２０８に記憶されている媒体有無情報を読み出す。印刷制御部２０２は、画像検出部１３０の「媒体無し」の媒体有無情報を読み出し、画像検出部１３０内に媒体Ｐがないと判断すると（Ｓ２０２）、搬送制御部２０４に第１トレイ１０１から再使用媒体Ｐ１を給紙し、画像検出部１３０内に搬送するよう指示する。搬送制御部２０４は給紙ローラ１０５及びローラ対１０８を動作させ、第１トレイ１０１の再使用媒体Ｐ１を給紙する。次に検出制御部２０６は、第１トレイ１０１から搬送されてきた再使用媒体Ｐ１を、ローラ対１１２、１１３を動作させ画像検出部１３０内に再使用媒体Ｐ１を搬送する（Ｓ２０３）。
【００３８】
検出制御部２０６は、再使用媒体Ｐ１を画像検出部１３０内に搬送する際、センサ１１０、１１１を動作させ、再使用媒体Ｐ１の表面及び裏面の画像の有無を検知する（Ｓ２０４）。媒体判定部２０５は、検出制御部２０６により検知された再使用媒体Ｐ１の表面及び裏面の画像の有無である媒体種別情報を受信し、片面印刷が可能な媒体Ｐであるか否かを判定する（Ｓ２０５）。
【００３９】
まず第１に、媒体判定部２０５が、前記検出制御部２０６から両面とも印刷不可媒体種別情報を受信した場合について説明する。媒体判定部２０５は、所望の片面印刷が不可であると判定し（Ｓ２０５）、印刷制御部２０２に印刷不可であることを送信する。印刷制御部２０２はこれを受けて、検出制御部２０６と搬送制御部２０４に、画像検出部１３０内の媒体Ｐを排出するよう指示する。検出制御部２０６と搬送制御部２０４はこの指示に従い、ローラ対１１２、１１３及びローラ対１１８、１１９、１２０を動作させ、媒体Ｐを画像形成部１３２に向けて搬送する（Ｓ２１４）。このとき、印刷制御部２０２は、画像形成制御部２０３に印刷を実行しないことを指示し、画像形成制御部２０３は、画像形成部１３２に媒体Ｐが搬送されても印刷を行わないように制御する（Ｓ２１５）。
【００４０】
画像形成部１３２で印刷が実行されなかった再使用媒体Ｐ１は、定着部１２７及び排出ローラ対１２８を経て、排出部１３３に排出される（Ｓ２１６）。印刷制御部２０２は、再使用媒体Ｐ１が排出されると、再び搬送制御部２０４に第１トレイ１０１から再使用媒体Ｐ１を給紙し、画像検出部１３０内に搬送するよう指示する。搬送制御部２０４は給紙ローラ１０５及びローラ対１０８を動作させ、第１トレイ１０１の再使用媒体Ｐ１を給紙する（Ｓ２０３）。
【００４１】
第２に、ステップ２０５において、媒体判定部２０５が前記検出制御部２０６から両面印刷可、表面印刷可の媒体種別情報を受信した場合、即ち片面印刷であるために反転の必要のない場合について説明する。媒体判定部２０５は片面印刷が可能であると判定し、印刷制御部２０２に印刷可能であるとの情報を送信するとともに、両面印刷可又は表面印刷可の媒体種別情報を送信する。印刷制御部２０２は、受信した媒体種別情報を媒体種別情報記憶部２０７に記憶する。
【００４２】
印刷制御部２０２は、媒体種別情報記憶部２０７に記憶された媒体種別情報が両面印刷可又は表面印刷可であるので、媒体Ｐは反転が必要でないと判断する（Ｓ２０６）。印刷制御部２０２は、検出制御部２０６と搬送制御部２０４に画像検出部１３０内の媒体Ｐを画像形成部１３２に向けて搬送するよう指示する。検出制御部２０６と搬送制御部２０４はこの指示に従い、ローラ対１１２、１１３及びローラ対１１８、１１９、１２０を動作させ、媒体Ｐを画像形成部１３２に向けて搬送する（Ｓ２０７）。
【００４３】
このとき、印刷制御部２０２は、画像形成制御部２０３に印刷を実行するよう指示し、画像形成制御部２０３は、画像形成部１３２を制御し印刷を実行する（Ｓ２１２）。画像形成部１３２によって印刷が実行された媒体Ｐは、定着部１２７、排出ローラ対１２８を経て、排出部１３３に排出される（Ｓ２１３）。
【００４４】
第３に、ステップ２０５において、媒体判定部２０５が前記検出制御部２０６から裏面印刷可の媒体種別情報を受信した場合、即ち、反転の必要のある場合について説明する。媒体判定部２０５は片面印刷が可能であると判断し、印刷制御部２０２に印刷可能であるとの情報を送信するとともに、裏面印刷可の媒体種別情報を送信する。印刷制御部２０２は、受信した媒体種別情報を媒体種別情報記憶部２０７に記憶する。
【００４５】
印刷制御部２０２は、検出制御部２０６と搬送制御部２０４に画像検出部１３０内の媒体Ｐを画像形成部１３２に向けて搬送するよう指示する。検出制御部２０６と搬送制御部２０４はこの指示に従い、ローラ対１１２、１１３及びローラ対１１８、１１９、１２０を動作させ、媒体Ｐを画像形成部１３２に向けて搬送する（Ｓ２０８）。
【００４６】
このとき、印刷制御部２０２は、画像形成制御部２０３に印刷を実行しないことを指示し、画像形成制御部２０３は、画像形成部１３２に媒体Ｐが搬送されても印刷を行わないように制御する（Ｓ２０９）。
【００４７】
画像形成部１３２で印刷が実行されなかった媒体Ｐは、定着部１２７を経て反転部１３１に搬送される。再使用媒体Ｐ１は、搬送制御部２０４によって制御されるローラ対１１４、１１５によって反転部１３１の第１反転搬送路１３５に導かれる（Ｓ２１０）。次に、搬送制御部２０４はローラ対１１４、１１５を反転させ、再使用媒体Ｐ１を反転部１３１の第２反転搬送路１３６へ導き、更にローラ対１１６、１１７及びローラ対１１９、１２０によって画像形成部１３２に向けて搬送される（Ｓ２１１）。この動作により、再使用媒体Ｐ１は裏表が反転することになる。
【００４８】
印刷制御部２０２は、画像形成制御部２０３に印刷を実行するよう指示し、画像形成制御部２０３は、画像形成部１３２を制御し印刷を実行する（Ｓ２１２）。画像形成部１３２によって印刷が実行された再使用媒体Ｐ１は、定着部１２７、排出ローラ対１２８を経て、排出部１３３に排出される（Ｓ２１３）。
【００４９】
第４に、画像検出部１３０内に媒体Ｐがある場合について説明する。媒体有無情報記憶部２０８に「媒体有」の媒体有無情報が記憶されている場合、媒体種別情報記憶部２０７は、画像検出部１３０内にある媒体Ｐの媒体種別情報を記憶している。印刷制御部２０２は、媒体種別情報記憶部２０７に記憶された媒体種別情報が表面印刷可である場合は、媒体Ｐの反転が必要ないと判断し、裏面印刷可である場合は媒体Ｐの反転が必要であると判断する（Ｓ２０６）。媒体Ｐの反転が必要ないと判断する場合はステップ２０７へ、また、媒体Ｐの反転が必要であると判断する場合はステップ２０８進み、以降の動作は既に説明した通りである。
【００５０】
以上、詳細に説明したように第１の実施の形態においては、媒体Ｐに画像があるか否かを検出する画像検出部１３０を設け、両面印刷をする場合、再使用媒体Ｐ１に両面印刷可能かどうかを判定し、両面印刷可と判定した場合はそのまま印刷を実行し、両面印刷が不可と判定した場合は未使用媒体Ｐ２を給紙する。このようにすることにより、既に印刷済みの再使用媒体Ｐ１に誤って印刷を行なうことなく、かつ再使用媒体Ｐ１を優先的に使用でき、媒体の省資源化を図ることができる。
【００５１】
また、片面印刷する場合も、印刷済みのどちらの面に印刷画像があるか判定して印刷画像のない面に印刷するようにしたので、ユーザが再使用媒体Ｐ１の印刷面を意識せずにトレイに収納した場合でも、印刷済みの面に重ねて印刷されることはない。また、第１の実施の形態では、両面印刷の際に両面印刷不可と判定された場合、片面印刷可能であれば画像検出部１３０に待機させ、片面印刷時に使用するようにしているので、再使用媒体Ｐ１の無駄を少なくすることができる。
【００５２】
（第２の実施の形態）
次に本発明の第２の実施の形態を説明する。図７は第２の実施の形態に係るプリンタ２００を示すブロック図である。図７において、第２の実施の形態のプリンタ２００の第１の実施の形態のプリンタ１００との違いは、印刷制御部６０１である。
【００５３】
印刷制御部６０１は、媒体判定部２０５から入力した媒体種別情報を記憶する媒体種別情報記憶部２０７と、媒体Ｐが画像検出部１３０内に残っているかどうかを記憶する媒体有無情報記憶部２０８を有し、更に、第１トレイ１０１の再使用媒体Ｐ１を使用した印刷の枚数をカウントした値を記憶するカウント記憶部６０２を有する。なお、当該カウント記憶部６０２は、ＲＯＭで構成され、電源がＯＦＦされた場合でも、カウント値を保持するものである。その他の構成は第１の実施の形態と同様である。
【００５４】
次に第２の実施の形態の動作を説明する。図８は、第２の実施の形態における両面印刷動作を示すフローチャートである。随時、図１及び図７を参照しながら、両面印刷を行なう場合の動作を説明する。まず、受信制御部２０１は、上位装置より両面印刷指示を含む印刷情報と印刷データを受信すると、両面印刷の印刷情報を印刷制御部２０２に送信する（Ｓ３０１）。
【００５５】
印刷制御部６０１は、両面印刷の印刷情報を受信すると、画像検出部１３０内の媒体Ｐの有無を判定するため、媒体有無情報記憶部２０８に記憶されている媒体有無情報を読み出す。印刷制御部６０１は、画像検出部１３０の「媒体無し」の媒体有無情報を読み出し、画像検出部１３０内に媒体Ｐがないと判断すると（Ｓ３０２）、搬送制御部２０４に第１トレイ１０１から再使用媒体Ｐ１を給紙し、画像検出部１３０内に搬送するよう指示する。搬送制御部２０４は給紙ローラ１０５及びローラ対１０８を動作させ、第１トレイ１０１の再使用媒体Ｐ１を給紙する。次に検出制御部２０６はローラ対１１２、１１３を動作させ、第１トレイ１０１から搬送されてきた再使用媒体Ｐ１を画像検出部１３０内に搬送する（Ｓ３０９）。
【００５６】
検出制御部２０６は、媒体Ｐを画像検出部１３０内に搬送する際、センサ１１０、１１１を動作させ、再使用媒体Ｐ１の表面及び裏面の画像の有無を検知する（Ｓ３１０）。媒体判定部２０５は、検出制御部２０６により検知された媒体Ｐの表面及び裏面の画像の有無である媒体種別情報を受信し、両面印刷が可能な未使用媒体Ｐ２であるか否かを判定する（Ｓ３１１）。ここで、媒体種別情報は、両面印刷可、表面印刷可、裏面印刷可、両面とも印刷不可の情報で、これらの意味は前記第１の実施の形態と同様である。
【００５７】
まず第１に、媒体判定部２０５が、前記検出制御部２０６から両面印刷可の媒体種別情報を受信した場合について説明する。媒体判定部２０５は両面印刷が可能であると判定し（Ｓ３１１）、印刷制御部６０１に印刷可能であるとの情報を送信するとともに、両面印刷可の媒体種別情報を送信する。印刷制御部６０１は、受信した媒体種別情報を媒体種別情報記憶部２０７に記憶する。印刷制御部６０１は、第１トレイ１０１を使用するカウント値に"１"を加算し、カウント記憶部６０２にカウント値を記憶する（Ｓ３１２）。
【００５８】
印刷制御部６０１は、検出制御部２０６と搬送制御部２０４に画像検出部１３０内の再使用媒体Ｐ１を画像形成部１３２に向けて搬送するよう指示する。検出制御部２０６と搬送制御部２０４はこの指示に従い、ローラ対１１２、１１３及びローラ対１１８、１１９、１２０を動作させ、媒体Ｐを画像形成部１３２に向けて搬送する（Ｓ３１３）。
【００５９】
このとき、印刷制御部６０１は通常の両面印刷動作を実行する。即ち、印刷制御部６０１は、画像形成制御部２０３に印刷を実行するよう指示し、画像形成制御部２０３は、画像形成部１３２を制御し、媒体ＰのＡ面の印刷を実行する（Ｓ３０４）。画像形成部１３２によって印刷が実行された媒体Ｐは、定着部１２７を経て反転部１３１に搬送される。媒体Ｐは、搬送制御部２０４によって制御されるローラ対１１４、１１５によって反転部１３１の第１反転搬送路１３５に導かれる（Ｓ３０５）。次に、搬送制御部２０４は、ローラ対１１４、１１５を反転させ、媒体Ｐを反転部１３１の第２反転搬送路１３６へ導き、更にローラ対１１６、１１７及びローラ対１１９、１２０によって画像形成部１３２に向けて搬送する（Ｓ３０６）。この動作により、媒体Ｐは裏表が反転することになる。
【００６０】
印刷制御部６０１は、画像形成制御部２０３に印刷を実行するよう指示し、画像形成制御部２０３は、画像形成部１３２を制御し、媒体ＰのＢ面の印刷を実行する（Ｓ３０７）。画像形成部１３２によって印刷が実行された媒体Ｐは、定着部１２７、排出ローラ対１２８を経て、排出部１３３に排出される（Ｓ３０８）。
【００６１】
第２に、ステップ３１１において媒体判定部２０５が、前記検出制御部２０６から表面印刷可又は裏面印刷可の媒体種別情報を受信した場合について説明する。媒体判定部２０５は、両面印刷が不可であると判定し、印刷制御部６０１に両面印刷が不可であるとの情報を送信するとともに表面印刷可又は裏面印刷可の媒体種別情報を送信する。印刷制御部６０１は、受信した媒体種別情報を媒体種別情報記憶部２０７に記憶する。
【００６２】
印刷制御部６０１は、媒体種別情報記憶部２０７に記憶された媒体種別情報が、表面印刷可又は裏面印刷可であるので、片面が印刷可能であると判断し（Ｓ３１４）、媒体Ｐを画像検出部１３０内に待機させるとともに、媒体有無情報記憶部２０８に「媒体有」の媒体有無情報を記憶する（Ｓ３１５）。なお、ここで待機するのは、後に片面印刷を実行する場合に、この媒体Ｐを使用するためであり、画像検出部１３０内に待機する媒体Ｐは、表面印刷可又は裏面印刷可に限られる。
【００６３】
その後、印刷制御部６０１は、搬送制御部２０４に第２トレイ１０２から未使用媒体Ｐ２を給紙し画像形成部１３２へ向けて未使用媒体Ｐ２を搬送するよう指示し、搬送制御部２０４は給紙ローラ１０６及びローラ対１０７を動作させ、第２トレイ１０２の未使用媒体Ｐ２を画像形成部１３２に向けて給紙する（Ｓ３０３）。以後ステップ３０４からステップ３０８の動作は、前記第１の実施の形態で説明したステップ１０４からステップ１０８と同じである。
【００６４】
第３に、ステップ３１１において媒体判定部２０５が、前記検出制御部２０６から両面とも印刷不可の媒体種別情報を受信した場合について説明する。媒体判定部２０５は、印刷制御部６０１に、媒体Ｐが両面とも使用不可であるとの情報を送信する。印刷制御部６０１はこれを受けて、検出制御部２０６と搬送制御部２０４に画像検出部１３０内の媒体Ｐを排出するよう指示する。検出制御部２０６と搬送制御部２０４はこの指示に従い、ローラ対１１２、１１３及びローラ対１１８、１１９、１２０を動作させ、媒体Ｐを画像形成部１３２に向けて搬送する（Ｓ３１６）。
【００６５】
このとき、印刷制御部６０１は、画像形成制御部２０３に印刷を実行しないことを指示し、画像形成制御部２０３は、画像形成部１３２に媒体Ｐが搬送されても印刷を行わないように制御する（Ｓ３１７）。画像形成部１３２で印刷が実行されなかった媒体Ｐは、定着部１２７、排出ローラ対１２８を経て、排出部１３３に排出される（Ｓ３１８）。
【００６６】
印刷制御部６０１は、媒体Ｐが排出されると、再び搬送制御部２０４に第１トレイ１０１から再使用媒体Ｐ１を給紙し、画像検出部１３０内に搬送するよう指示する。搬送制御部２０４は給紙ローラ１０５及びローラ対１０８を動作させ、第１トレイ１０１の再使用媒体Ｐ１を給紙する（Ｓ３０９）。
【００６７】
第４に、ステップ３０２において、画像検出部１３０内に媒体Ｐがあると判定された場合について説明する。媒体有無情報記憶部２０８に「媒体有」の媒体有無情報が記憶されている場合、印刷制御部６０１は、画像検出部１３０内に媒体Ｐがあると判断し（Ｓ３０２）、印刷制御部６０１は、搬送制御部２０４に第２トレイ１０２から未使用媒体Ｐ２を給紙し、画像形成部１３２へ向けて未使用媒体Ｐ２を搬送するよう指示し、搬送制御部２０４は給紙ローラ１０６及びローラ対１０７を動作させ、第２トレイ１０２の未使用媒体Ｐ２を画像形成部１３２に向けて給紙する（Ｓ３０３）。以後ステップ３０４からステップ３０８の動作は、前記第１の実施の形態で説明したステップ１０４からステップ１０８と同じである。
【００６８】
次に、片面印刷動作を図９に従って説明する。図９は、片面印刷の動作を示すフローチャートである。随時、図１、図７を参照しながら、第２の実施の形態における片面印刷動作を説明する。まず、受信制御部２０１は、上位装置より片面印刷指示を含む印刷情報と印刷データを受信すると、片面印刷の印刷情報を印刷制御部６０１に送信する（Ｓ４０１）。
【００６９】
印刷制御部６０１は、片面印刷の印刷情報を受信すると、画像検出部１３０内の媒体Ｐの有無を判定するため、媒体有無情報記憶部２０８に記憶されている媒体有無情報を読み出す。印刷制御部６０１は、画像検出部１３０に「媒体無し」の媒体有無情報を読み出し、画像検出部１３０内に媒体Ｐがないと判断すると（Ｓ４０２）、搬送制御部２０４に第１トレイ１０１から再使用媒体Ｐ１を給紙し、画像検出部１３０内に搬送するよう指示する。搬送制御部２０４は給紙ローラ１０５及びローラ対１０８を動作させ、第１トレイ１０１の再使用媒体Ｐ１を給紙する。次に検出制御部２０６はローラ対１１２、１１３を動作させ、第１トレイ１０１から搬送されてきた再使用媒体Ｐ１を画像検出部１３０内に搬送する（Ｓ４０３）。
【００７０】
検出制御部２０６は、再使用媒体Ｐ１を画像検出部１３０内に搬送する際、センサ１１０、１１１を動作させ、再使用媒体Ｐ１の表面及び裏面の画像の有無を検知する（Ｓ４０４）。媒体判定部２０５は、検出制御部２０６により検知された再使用媒体Ｐ１の表面及び裏面の画像の有無である媒体種別情報を受信し、片面印刷が可能な再使用媒体Ｐ１であるか否かを判断する（Ｓ４０５）。
【００７１】
まず第１に、媒体判定部２０５が、前記検出制御部２０６から両面とも印刷不可の媒体種別情報を受信した場合について説明する。媒体判定部２０５は、片面印刷が不可であると判定し（Ｓ４０５）、印刷制御部６０１に印刷不可であることを送信する。印刷制御部６０１はこれを受けて、検出制御部２０６と搬送制御部２０４に画像検出部１３０内の媒体Ｐを排出するよう指示する。検出制御部２０６と搬送制御部２０４はこの指示に従い、ローラ対１１２、１１３及びローラ対１１８、１１９、１２０を動作させ、媒体Ｐを画像形成部１３２に向けて搬送する（Ｓ４１５）。
【００７２】
このとき、印刷制御部６０１は、画像形成制御部２０３に印刷を実行しないことを指示し、画像形成制御部２０３は、画像形成部１３２に媒体Ｐが搬送されても印刷を行わないように制御する（Ｓ４１６）。画像形成部１３２で印刷が実行されなかった媒体Ｐは、定着部１２７、排出ローラ対１２８を経て、排出部１３３に排出される（Ｓ４１７）。
【００７３】
印刷制御部６０１は、媒体Ｐが排出されると、再び搬送制御部２０４に第１トレイ１０１から再使用媒体Ｐ１を給紙し、画像検出部１３０内に搬送するよう指示する。搬送制御部２０４は給紙ローラ１０５及びローラ対１０８を動作させ、第１トレイ１０１の再使用媒体Ｐ１を給紙する（Ｓ４０３）。
【００７４】
第２に、ステップ４０５において、媒体判定部２０５が、検出制御部２０６から両面印刷可、表面印刷可の媒体種別情報を受信した場合について説明する。媒体判定部２０５は片面印刷が可能であると判定し、印刷制御部６０１に印刷可能であるとの情報を送信するとともに両面印刷可又は表面印刷可の媒体種別情報を送信する。印刷制御部６０１は、受信した媒体種別情報を媒体種別情報記憶部２０７に記憶する。印刷制御部６０１は、媒体種別情報記憶部２０７に記憶された媒体種別情報が両面印刷可又は表面印刷可であるので、媒体Ｐは反転が必要でないと判断する（Ｓ４０６）。
【００７５】
印刷制御部６０１は、検出制御部２０６と搬送制御部２０４に画像検出部１３０内の媒体Ｐを画像形成部１３２に向けて搬送するよう指示する。検出制御部２０６と搬送制御部２０４はこの指示に従い、ローラ対１１２、１１３及びローラ対１１８、１１９、１２０を動作させ、媒体Ｐを画像形成部１３２に向けて搬送する（Ｓ４０７）。印刷制御部６０１は、第１トレイ１０１を使用するカウント値に"１"を加算し、カウント記憶部６０２にカウント値を記憶する（Ｓ４１２）。
【００７６】
また、このとき、印刷制御部６０１は、画像形成制御部２０３に印刷を実行するよう指示し、画像形成制御部２０３は、画像形成部１３２を制御し印刷を実行する（Ｓ４１３）。画像形成部１３２によって印刷が実行された媒体Ｐは、定着部１２７、排出ローラ対１２８を経て、排出部１３３に排出される（Ｓ４１４）。
【００７７】
第３に、ステップ４０５において媒体判定部２０５が、前記検出制御部２０６から裏面印刷可の媒体種別情報を受信した場合について説明する。媒体判定部２０５は片面印刷が可能であると判断し、印刷制御部６０１に印刷可能であるとの情報を送信するとともに裏面印刷可の媒体種別情報を送信する。印刷制御部６０１は、受信した媒体種別情報を媒体種別情報記憶部２０７に記憶する。印刷制御部６０１は、媒体種別情報記憶部２０７に記憶された媒体種別情報が裏面印刷可であるので、媒体Ｐは反転が必要であると判断する（Ｓ４０６）。
【００７８】
印刷制御部６０１は、検出制御部２０６と搬送制御部２０４に画像検出部１３０内の媒体Ｐを画像形成部１３２に向けて搬送するよう指示する。検出制御部２０６と搬送制御部２０４はこの指示に従い、ローラ対１１２、１１３及びローラ対１１８、１１９、１２０を動作させ、媒体Ｐを画像形成部１３２に向けて搬送する（Ｓ４０８）。このとき、印刷制御部６０１は、画像形成制御部２０３に印刷を実行しないことを指示し、画像形成制御部２０３は、画像形成部１３２に媒体Ｐが搬送されても印刷を行わないように制御する（Ｓ４０９）。
【００７９】
画像形成部１３２で印刷が実行されなかった媒体Ｐは、定着部１２７を経て反転部１３１に搬送される。媒体Ｐは、搬送制御部２０４によって制御されるローラ対１１４、１１５を反転させ、媒体Ｐを反転部１３１の第１反転搬送路１３５に導かれ（Ｓ４１０）、搬送制御部２０４はローラ対１１４、１１５を反転させ、媒体Ｐを反転部１３１の第２反転搬送路１３６へ導き、更にローラ対１１６、１１７及びローラ対１１９、１２０によって画像形成部１３２に向けて搬送される（Ｓ４１１）。この動作により、媒体Ｐは裏表が反転することになる。
【００８０】
印刷制御部６０１は、第１トレイ１０１を使用するカウント値に"１"を加算し、カウント記憶部６０２にカウント値を記憶する（Ｓ４１２）。印刷制御部６０１は、画像形成制御部２０３に印刷を実行するよう指示し、画像形成制御部２０３は、画像形成部１３２を制御し印刷を実行する（Ｓ４１３）。画像形成部１３２によって印刷が実行された媒体Ｐは、定着部１２７、排出ローラ対１２８を経て、排出部１３３に排出される（Ｓ４１４）。
【００８１】
第４に、ステップ４０２において画像検出部１３０内に媒体Ｐがある場合について説明する。媒体有無情報記憶部２０８に「媒体有」の媒体有無情報が記憶されている場合、媒体種別情報記憶部２０７は、画像検出部１３０内にある媒体Ｐの媒体種別情報を記憶している。印刷制御部６０１は、媒体種別情報記憶部２０７に記憶された媒体種別情報が、表面印刷可である場合は、媒体Ｐの反転が必要ないと判断し、裏面印刷可である場合は媒体Ｐの反転が必要であると判断する（Ｓ４０６）。以降はすでに説明した通りである。
【００８２】
以上説明したように、第２の実施の形態においては、上記第１の実施の形態の有する効果に加えて、再使用媒体Ｐ１を使用した場合にその使用枚数をカウントし、カウント値を記憶する手段を設けたので、媒体削減効果を量として把握することができる。
【００８３】
上記各実施の形態では、媒体種別を検出するセンサとして、媒体Ｐの両面の画像の有無を検出するセンサを用いたが、媒体Ｐの厚さを検出するセンサを使用し、両面印刷を実施すると裏面の印刷が透けて見えてしまうような薄紙を両面印刷に使用しないよう、薄い紙を検知する場合にも適用できる。
【００８４】
更に、前記画像検出部１３０については、図２に示すようにローラ対１１２、１１３によって、媒体Ｐを１枚のみ搬送する構成であるが、これに限らない。即ち、センサ１１０、１１１の奥側に複数枚収容可能としたトレイを設け、さらに図示しない給紙ローラを設けることにより、媒体Ｐを１枚毎に給紙する構成としても適用可能である。
【００８５】
また、媒体Ｐの透過性を検出するセンサを使用し、ＯＨＰシートなどの両面印刷が実施できない媒体であるかどうかを検出する場合においても適用することができる。
【図面の簡単な説明】
【００８６】
【図１】第１の実施の形態に係るプリンタを示す断面図である。
【図２】画像検出部を示す拡大側面図である。
【図３】画像検出部の模式図である。
【図４】第１の実施の形態のプリンタのブロック図である。
【図５】第１の実施の形態における両面印刷の動作を示すフローチャートである。
【図６】第１の実施の形態における片面印刷の動作を示すフローチャートである。
【図７】第２の実施の形態のプリンタのブロック図である。
【図８】第２の実施の形態における両面印刷の動作を示すフローチャートである。
【図９】第２の実施の形態における片面印刷の動作を示すフローチャートである。
【符号の説明】
【００８７】
Ｐ                  媒体
Ｐ１                印刷済み媒体
Ｐ２                未使用媒体
１００、２００      プリンタ
１０１              第１トレイ
１０２              第２トレイ
１１０、１１１      センサ
１３０              画像検出部
１３１              反転部
１３２              画像形成部
２０２、６０１      印刷制御部
２０５              媒体判定部
６０２              カウント記憶部
【図１】
2009269367.tif 000003
【図２】
2009269367.tif 000004
【図３】
2009269367.tif 000005
【図４】
2009269367.tif 000006
【図５】
2009269367.tif 000007
【図６】
2009269367.tif 000008
【図７】
2009269367.tif 000009
【図８】
2009269367.tif 000010
【図９】
2009269367.tif 000011